(57)【要約】【課題】線状体の傾斜角に拘らず、既設の線状体に取り付けてこの線状体を伝って流れる水を効果的に分散させて落下させることが可能な水切り装置を提供する。【解決手段】水切り装置は、電線を側方から挟み込む２つの分割部材によって構成される。それぞれの分割部材は、他方の分割部材と対峙する対峙面に電線を受け入れる係合溝を形成し、外周面に係合溝の軸方向に沿って連続する第１の半円錐面と半円筒面と第２の半円錐面とを順次形成する。第２の半円錐面を第１の半円錐面と円筒面との軸方向の長さの合計よりも長く形成し、また、分割部材の底面において、外周面と連なる周縁部よりも内側の部分を窪ませることで、第２の半円錐面を伝って流れる水を分散させやすくする。それぞれの分割部材は、互いの一側縁部が回転可能に連結され、また、互いの他側縁部が係合手段により着脱自在に係合される。【選択図】  図１
2017055473.tif 000002
【特許請求の範囲】
【請求項１】
線状体に取り付けられて、前記線状体を伝って流れる水を遮り落下させる水切り装置であって、
前記線状体に対して側方から挟み込む２つの分割部材によって構成し、
それぞれの前記分割部材は、他方の分割部材と対峙する対峙面に前記線状体を受け入れる係合溝を形成し、
外周面には前記係合溝の軸方向に沿って連続する第１の半円錐面と半円筒面と第２の半円錐面とが順次形成され、
前記第１の半円錐面を前記係合溝から該係合溝に対して所定の傾斜角で延在させて構成し、前記半円筒面を前記係合溝と平行に延在させて構成し、前記第２の半円錐面を前記第１の半円錐面と前記円筒面との軸方向の長さの合計よりも長く形成すると共に前記係合溝に対して所定の傾斜角で延在させて構成し、
それぞれの分割部材を、互いの一側縁部で回転可能に連結すると共に、互いの他側縁部を着脱自在に係合可能とし、
それぞれの分割部材の底面は、前記外周面に連なる周縁部よりも内側の部分が窪ませてあることを特徴とする水切り装置。
【請求項２】
前記２つの分割部材を突き合せて前記半円筒面で形成される円筒部には、帯状締付け部材が取り付けられることを特徴とする水切り装置。
【請求項３】
前記第２の半円錐面の最も径が大きくなる端縁には、水切り球が設けられることを特徴とする請求項１又は２記載の水切り装置。
【請求項４】
それぞれの前記分割部材の互いに着脱自在に係合する他側縁部の一方には嵌合突起が形成され、他方には前記嵌合突起を受け入れる嵌合凹部が形成され、また、いずれかの分割部材には、前記嵌合突起と前記嵌合凹部とを嵌合させた状態で他方の分割部材にピン止めされる係止舌片が設けられていることを特徴とする請求項１乃至３のいずれかに記載の水切り装置。
【発明の詳細な説明】
【技術分野】
【０００１】
この発明は、電線などの線状体に取り付けられて、線状体を伝って流れる水を遮り落下させる水切り装置に関し、特に、線状体を伝って流れる水を分散させ易くして水切り効果を高めた水切り装置に関する。
【背景技術】
【０００２】
沿岸部付近に設置されている送電線には、台風等の悪天候により吹き上げられた細かい海水が雨水と混ざり合って届くことがある。したがって、裸電線で電力供給を行なっている特別高圧架空送電線は、絶縁被覆されている送電線に比べて海水等の影響を受けやすくなる。
【０００３】
例えば、図５に示されるように、特別高圧架空送電線１０１と地中送電線１１０とを接続する場合には、専用の送電線用建屋（ケーブルハウス）１２０を設け、この送電線用建屋内で両者を接続するが、このような構成においては、架空送電線１０１を支持する部分や架空送電線１０１から送電線用建屋１２０内に引き込む引込み線１０２を支持する部分において、塩分を含んだ雨水が溜まりやすくなる。
【０００４】
即ち、同図に示されるように、架空送電線１０１は引込み線１０２を介して送電線用建屋１２０内に設置されたケーブル終端箱１２１内で地中送電線１１０と接続するが、ケーブル終端箱１２１は、架台１２２上に配置されて建屋内に配置され、また、架空送電線１０１は、建屋の外壁に設けられた碍子１０３に引き留められ、引込み線１０２は、この碍子１０３の先端部で支持されつつ、建屋内に導入されてケーブル終端箱１２１上に配置された碍子１２３を介してケーブル終端箱１２１内に引き込まれる。
【０００５】
このような構成においては、架空送電線１０１や引込み線１０２を支持する碍子１０３，１２３の上流側付近（波線円で示す箇所）において塩分を含んだ雨水が溜まりやすくなり、この水が電線の素線の隙間に長時間滞在し、生成物の発生等により電線の劣化が進行し，電線の強度に著しく影響を及ぼす不都合がある。
【０００６】
そこで、従来においては、セグメント型素線を撚り合わせたセグメント型素線撚合わせ層を備えてなる架空送電線において、最も外側に位置するセグメント型素線撚り合わせ層を構成するセグメント型素線間に、捩じり加工された、又は、螺旋状に加工された非円形断面素線を配して、水切り性を向上させたものや（特許文献１）、絶縁電線の外周に巻回されるプレフォームドアーマロッドの端部に接して水切り笠を設け、塩分を含んだ水が電線を伝ってプレフォームドアーマロッド上に取付けた引留クランプに流入することを防ぐようにした構成などが提案されている（特許文献２）。
【先行技術文献】
【特許文献】
【０００７】
【特許文献１】特開２００１−２１０１４３号公報
【特許文献２】特開２００７−２８２４２８号公報
【発明の概要】
【発明が解決しようとする課題】
【０００８】
しかしながら、前者の構成においては、素線の形状を変えて水切り性能を向上させようとするものであり、電線自体の交換が必要となり、既設の電線に対応できない不都合がある。
【０００９】
また、後者の構成においては、水の流れを遮る効果はある程度あるものの、水切り笠は、電線を伝って流れる水の流れに対して水を受けるように広がった鍔部を備え、この鍔部の背面がプレフォームドアーマロッドに向かって漸次径が小さくなる円錐面に形成された構成であるため、水切り笠で受けた水を散らす作用はなく、鉛直方向に延びた電線や傾斜角が大きい電線に対して取付けられた場合には、鍔部で受けた水は、鍔部の背面を伝って再び電線の表面を流れることになり、水切り効果を十分に期待できるものではなかった。
【００１０】
本発明は、係る事情に鑑みてなされたものであり、線状体の傾斜角に拘らず、既設の線状体に取り付けて線状体を伝って流れる水を効果的に分散させて水切りを行うことが可能な水切り装置を提供することを主たる課題としている。
【課題を解決するための手段】
【００１１】
上記課題を達成するために、本発明に係る水切り装置は、線状体に取り付けられて、前記線状体を伝って流れる水を遮り落下させる水切り装置であって、前記線状体に対して側方から挟み込む２つの分割部材によって構成し、それぞれの前記分割部材は、他方の分割部材と対峙する対峙面に前記線状体を受け入れる係合溝を形成し、外周面には前記係合溝の軸方向に沿って連続する第１の半円錐面と半円筒面と第２の半円錐面とが順次形成され、前記第１の半円錐面を前記係合溝から該係合溝に対して所定の傾斜角で延在させて構成し、前記半円筒面を前記係合溝と略平行に延在させて構成し、前記第２の半円錐面を前記第１の半円錐面と前記円筒面との軸方向の長さの合計よりも長く形成すると共に前記係合溝に対して所定の傾斜角で延在させて構成し、それぞれの分割部材を、互いの一側縁部で回転可能に連結すると共に、互いの他側縁部を着脱自在に係合可能とし、それぞれの分割部材の底面は、前記外周面に連なる周縁部よりも内側の部分が窪ませてあることを特徴としている。
【００１２】
したがって、既設の電線に対して第１の半円錐面が水の流れに対して最上流側に位置するように２つの分割部材で線状体を挟み込み、互いの他側縁部を着脱可能に係合すれば、既設の電線等の線状体に対しても即座に水切り装置を取り付けることが可能となる。
【００１３】
そして、線状体に水切り装置を取付けた状態においては、上側から線状体を伝って流れてきた水は、水切り装置に差し掛かると、それぞれの分割部材の第１の半円錐面を伝って流れ、その後、半円筒面を流れて第２の半円錐面に至り、この第２の半円錐面の表面を流れる。
【００１４】
第２の半円錐面は、軸方向の長さが大きく確保されているので、この表面を流れる過程において、この半円錐面に吹き付けられる風に煽られて飛散して落下しやすくなり、また、分割部材の底面は、外周面に連なる周縁部よりも内側の部分が窪ませてあるので、第２の半円錐面の末端は振動し易くなっており、また、第２の半円錐面の末端から底面にかけて水が伝わることがなくなり、第２の半円錐面の末端に至った水は、飛散して落下することになる。
【００１５】
したがって、水切り装置より上流側から線状体を伝って流れてきた水は、水切り装置によって効果的に水切りされることになり、水切り装置を乗り越えて下流側の線状体を流れることがなくなる。
【００１６】
ここで、２つの分割部材のより強固な取り付け状態を得るために、２つの分割部材を突き合せて前記半円筒面で形成される円筒部に、ビニールテープや締め付けバンド等の帯状締付け部材を取付けるようにしてもよい。
【００１７】
また、水切り効果を高めるために、第２の半円錐面の最も径が大きくなる端縁に、水切り球を設けるようにしてもよい。この水切り球は、所定角度間隔（例えば、９０度間隔）で複数設けるようにしてもよい。
【００１８】
さらに、それぞれの分割部材の互いに着脱自在に係合する他側縁部の一方に嵌合突起を形成し、他方に前記嵌合突起を受け入れる嵌合凹部を形成し、また、いずれかの分割部材に、前記嵌合突起と前記嵌合凹部とを嵌合させた状態で他方の分割部材にピン止めする係止舌片を設けるようにしてもよい。
このような構成とすれば、嵌合状態が強固となり、長年の使用に耐え得るものとなる。
【発明の効果】
【００１９】
以上述べたように、本発明の水切り装置によれば、線状体を側方から挟み込む２つの分割部材によって構成し、それぞれの分割部材について、他方の分割部材と対峙する対峙面に線状体を受け入れる係合溝を形成し、外周面に係合溝の軸方向に沿って連続する第１の半円錐面と半円筒面と第２の半円錐面とを順次形成し、第２の半円錐面の軸方向の長さを第１の半円錐面と円筒面との軸方向の長さの合計よりも長く形成し、また、分割部材の底面において、外周面と連なる周縁部よりも内側の部分を窪ませて形成したので、電線を伝って流れる水が水切り装置の表面に至り、第２の半円錐面を流れる過程において、そこに吹き付けられる風によって飛散して落下しやすくなり、また、第２の半円錐面の末端まで流れた水は、その後、底面を伝わることなく、第２の半円錐面の末端から飛散して落下することになる。したがって、水切り装置を取り付ける線状体の傾斜角に拘らず、既設の線状体に取り付けて効果的に水切りを行うことが可能となる。
【００２０】
よって、線状体の水が滞在しやすい箇所の上流側に本水切り装置を設置すれば、線状体上に滞在する水を減らして線状体を腐食を遅らすことが可能となり、また、水切り装置の直下においては落下した水がかからないようにすることが可能となる。
【００２１】
また、２つの分割部材の半円筒面を突き合せて形成される円筒部に、帯状締付け部材を取り付けることで、線状体への取り付け状態を強固にすることができ、また、第２の半円錐面の最も径が大きくなる端縁に水切り球を設けることで、水切り効果をより高めることが可能となる。
【図面の簡単な説明】
【００２２】
【図１】図１は、本発明に係る水切り装置を示す図であり、（ａ）は、電線に取り付けた水切り装置を側方から見た図、（ｂ）は、第１の半円錐面の側から軸方向に沿って見た図、（ｃ）は水切り装置の斜視図である。
【図２】図２は、本発明に係る水切り装置を示す図であり、２つの分割部材をヒンジを境に広げた状態を示す図である。
【図３】図３は、２つの分割部材の対峙面に形成される係合手段の構成例を示す図である。
【図４】図４は、電線に本発明に係る水切り装置を取り付けて水を遮り分散落下させる様子を説明する図であり、（ａ）は、鉛直方向に延びる電線に取付けた状態を示す図、（ｂ）は、傾斜角が小さい又は水平に延在する電線に取付けた状態を示す図である。
【図５】図５は、水が滞在する箇所を説明する説明図である。
【発明を実施するための形態】
【００２３】
以下、本発明の実施形態を図面に基づき詳述する。
【００２４】
図１及び図２において、本発明に係る水切り装置１の構成例が示されている。
この水切り装置１は、既設の電線１００であれば、鉛直方向に延びる電線であっても、水平方向に延びる電線であっても、傾斜する電線であってもよく、水が溜まり易い電線箇所の上流側に設けられる。
【００２５】
この水切り装置１は、電線１００を側方から挟み込む２つの分割部材２、３によって構成されているもので、それぞれの分割部材２，３は、軟鋼などの金属を亜鉛メッキした素材で形成されており、他方の分割部材と対峙する対峙面２１，３１に電線１００を受け入れる係合溝２２，３２が形成されている。
この係合溝２２，３２の内面には、電線１００を収容した際に該電線の表面に密着して隙間を無くすことができる軟質の弾性部材２３，３３が貼着されている。
【００２６】
それぞれの分割部材２、３の外周面には、係合溝２２，３２の軸方向に沿って連続する第１の半円錐面２４，３４と、これに続いて形成された半円筒面２５，３５と、これに続いて形成された第２の半円錐面２６，３６とが形成されている。
【００２７】
第１の半円錐面２４，３４は、係合溝２２，３２から該係合溝に対して所定の傾斜角で延在させたテーパ状曲面で構成されている。すなわち、先端が係合溝２２，３２と等しい曲率半径に形成され、末端がそれより大きい曲率半径に形成され、中間部は先端から末端にかけて連続的徐々に曲率半径が大きくなるように形成されている
【００２８】
半円筒面２５，３５は、係合溝２２，３２と略平行をなす周面を有しているもので、第１の半円錐面２４，３４との連接端から第２の半円錐面２６，３６との連接端にかけて第１の半円錐面２４，３４の末端の曲率半径と等しい曲率半径に形成されている。
【００２９】
第２の半円錐面２６，３６は、半円筒面２５，３５との連接端が半円筒面２５，３５の末端の曲率半径と一致し、この連接端から末広がりとなり、末端が最も大きい曲率半径となるように形成されている。
この例において、第２の半円錐面２６．３６の係合溝２２，３２に対する傾斜角は、第１の半円錐面２４，３４の傾斜角よりも小さく形成され、また、第２の半円錐面２６，３６の軸方向の長さは、第１の半円錐面２４，３４と円筒面２５，３５との軸方向の長さの合計よりも長く形成されている。
【００３０】
また、それぞれの分割部材２，３の底面には、外周面と連なる周縁部よりも内側の部分を窪ませた凹部２７，３７が形成されている。したがって、２つの分割部材２，３を互いの対峙面２１，３１で重ね合わせると、水切り装置１の末端部は、スカート状に広がった形状となり、第２の半円錐面２６，３６が受ける風によって微振動するようになっている。
【００３１】
さらに、第２の半円錐面２６，３６の最も径が大きくなる端縁には、水切り球４０が所定の間隔で設けられている。この例では、各分割部材２，３の第２の半円錐面２６，３６の端縁に２つずつ水切り球４０がこの半円錐面の延長上に設けられており、２つの分割部材２，３を互いの対峙面２１，３１を突き合わせて重ね合わせた状態において、水切り球４０は９０度毎に等間隔に設けられるように形成されている。
【００３２】
これら２つの分割部材２，３は、互いの一側縁部がヒンジ４２によって回転可能に連結されており、互いの他側縁部が、適当な係合手段４３により着脱可能に係合されるようになっている。
【００３３】
係合手段４３としては、例えば、図３に示されるように、一方の分割部材３に係合突起４４を設け、他方の分割部材２に前記係合突起４４と係合する係合凹部４５を設け、また、他方の分割部材２の外表面に一方の分割部材３の外表面にかけて延設されると共に先端部４６ａが内側に屈曲された帯状の係止舌片４６を設け、一方の分割部材３の外表面にこの係止舌片４６の先端部４６ａを係止させる係止孔４７を設け、さらに、係止舌片４６と一方の分割部材３の係合突起４４と係止孔４７との間に抜留めピン５０を挿入可能とするピン孔４８，４９を形成して構成されている。
【００３４】
したがって、２つの分割部材２，３をヒンジ４２を中心として回動させ、互いの対峙面２１，３１を突き合わせると、係合突起４４が係合凹部４５に係合し、その状態で係止舌片４６の先端部４６ａを係止孔４７に係止させ、その状態を固定するために係止舌片４６と一方の分割部材３のピン孔４８，４９に抜留めピン５０を挿着すれば、２つの分割部材２，３の係合状態が強固に固定された状態となる。
【００３５】
以上の構成において、電線１００の水が滞在しやすい部位よりも上流側の適当な位置に水切り装置１を取付けるにあたり、第１の半円錐面２４，３４を上流側に向けて（水が電線を伝って流れる方向に対して上流側から第１の半円錐面２４，３４、半円筒面２５，３５、第２の半円錐面２６，３６の順番となるように）、２つの分割部材２，３で電線１００を係合溝２２，３２に収容するように挟み込み、係合手段４３により挟み込んだ状態を固定する。
【００３６】
この際、２つの分割部材２，３で挟み込んだ状態をより強固に固定するために、２つの分割部材２，３を突き合せることによってそれぞれの半円筒面２５，３５で形成された円筒部に、ビニールテープや締め付けバンド等の帯状締付け部材を取付けるようにしてもよい。
【００３７】
すると、水切り装置１が電線１００に取り付けられた状態においては、水切り装置１より上流側から電線１００を伝って流れてくる水は、図４に示されるように、水切り装置１に差し掛かると、２つの分割部材２，３の第１の半円錐面２４，３４及び半円筒面２５，３５の表面を伝って流れ、第２の半円錐面２６，３６に至る。
この第２の半円錐面２６，３６は、軸方向の長さが第１の半円錐面２４，３４と円筒面２５，３５との軸方向の長さの合計よりも長く形成されているので、第２の半円錐面２６，３６を伝って流れる水は、この第２の半円錐面２６，３６に吹き付けられる風に煽られやすくなり、飛散されやすくなる。
また、それぞれの分割部材２，３の底面は、凹部２７，３７が形成されて、外周面と連なる周縁部よりも内側の部分に凹部２７，３７が形成されているので、第２の半円錐面２６，３６の末端部は、この第２の半円錐面２６，３６が受ける風によって微振動しやすい形状となっており、第２の半円錐面２６，３６を末端まで流れた水は、この微振動により飛散させることができ、また、底面を伝って再び電線１００に導かれることがなく、下方に落下することになる。
さらに、第２の半円錐面２６，２７の末端縁には、所定の間隔で水切り球４０が設けられているので、この水切り球４０により下流側へ流れる水を集中させて落下させやすくしている。
このように、第２の半円錐面に吹き付けられる風による飛散効果、及び、第２の半円錐面２６，３６の末端部の微振動に起因する飛散効果、さらには、水切り球による水の集結効果により、第２の半円錐面上を流れる水を効果的に分散、落下させることが可能となる。
【００３８】
したがって、鉛直方向に延設された電線１００に本水切り装置１を取付けた場合には、図４（ａ）に示されるように、水が落下する際に直下にある電線の支持箇所１０５などに水がかかることが少なくなり、また、水平方向や傾斜方向に延設された電線１００に水切り装置を取付けた場合においても、図４（ｂ）に示されるように、水を分散させて下方へ落下させることができるので、電線１００の支持箇所１０５などに水が滞在する不都合を低減することが可能となり、電線１００の劣化の進行を遅らすことが可能となる。
【００３９】
尚、上述の例では、電線１００に取り付けて用いる例を示したが、ケーブル等の他の線状体に取り付けても、同様の作用効果を得るようにしてもよい。
【符号の説明】
【００４０】
１  水切り装置
２，３  分割部材
２１，３１  対峙面
２２，３２  係合溝
２４，３４  第１の半円錐面
２５，３５  円筒面
２６，３６  第２の半円錐面
２７，３７  凹部
４０  水切り球
４３  係合手段
４４  係合突起
４５  係合凹部
４６  係止舌片
５０  抜留めピン
１００  電線
【図１】
2017055473.tif 000003
【図２】
2017055473.tif 000004
【図３】
2017055473.tif 000005
【図４】
2017055473.tif 000006
【図５】
2017055473.tif 000007